【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
メモリからの命令を実行するためのプロセッサを少なくとも含むコンピューティングデバイスによって行なわれる、コンピュータにより実現される方法であって、前記方法は、
グリッドヘッドエンドデバイスを介して配電網から収集された測定メーターデータを検証するために、プロセッサを介して、ユーザによる検証アルゴリズムのカスタム構成を容易にするグラフィカルユーザインターフェイスを提供するステップと、
非ピーク時間中、ピーク時間から処理をオフロードするために、前記プロセッサを介して、データベースデバイスから履歴使用量データにアクセスするステップとを備え、前記履歴使用量データは、前記グリッドヘッドエンドデバイスを介して前記配電網から前もって収集され、前記データベースデバイスに格納されており、前記非ピーク時間は、前記測定メーターデータが検証のために受信および処理されていない期間に対応し、前記ピーク時間は、前記測定メーターデータが検証のために受信および処理されている別の期間に対応し、前記方法はさらに、
前記非ピーク時間中、前記ピーク時間から処理をオフロードするために、前記プロセッサを介して、前記履歴使用量データから統計データを生成し、前記統計データをメモリに格納するステップと、
前記ピーク時間中、前記プロセッサを介して、前記グリッドヘッドエンドデバイスから前記測定メーターデータを受信し、前記メモリから前記統計データにアクセスするステップと、
前記検証アルゴリズムが前記ユーザによって構成された後で、前記ピーク時間中、合否データを生成するために前記プロセッサを介して前記検証アルゴリズムを前記統計データおよび前記測定メーターデータに適用することによって、前記測定メーターデータを少なくとも部分的に検証するステップとを備える、方法。
【請求項２】
前記グラフィカルユーザインターフェイスはさらに、前記プロセッサを介して、前記ユーザによる予め存在する検証アルゴリズムの手動選択を容易にする、請求項１に記載の方法。
【請求項３】
前記データベースデバイスから前記履歴使用量データにアクセスするステップ、および前記統計データを生成するステップを制御するために、前記非ピーク時間に基づいて、前記プロセッサを介して制御指令を生成するステップをさらに備える、請求項１または２に記載の方法。
【請求項４】
前記グリッドヘッドエンドデバイスから前記測定メーターデータを受信するステップ、前記メモリから前記統計データにアクセスするステップ、および前記測定メーターデータを検証するステップを制御するために、前記ピーク時間に基づいて、前記プロセッサを介して制御指令を生成するステップをさらに備える、請求項１〜３のいずれか１項に記載の方法。
【請求項５】
前記プロセッサを介して、ディスプレイスクリーン上に前記グラフィカルユーザインターフェイスを表示するステップ、または、
前記プロセッサを介して、前記合否データを出力するステップ、または、
前記プロセッサを介して、前記測定メーターデータを出力するステップをさらに備える、請求項１〜４のいずれか１項に記載の方法。
【請求項６】
前記履歴使用量データは、消費者の複数の電気メーターに対応する間隔消費データまたはレジスタ（スカラ）消費データのうちの少なくとも１つを含む、請求項１〜５のいずれか１項に記載の方法。
【請求項７】
前記測定メーターデータは、消費者の複数の電気メーターに対応する間隔消費データまたはレジスタ（スカラ）消費データのうちの少なくとも１つを含む、請求項１〜６のいずれか１項に記載の方法。
【請求項８】
前記検証アルゴリズムは、数学関数または論理関数のうちの少なくとも１つを含む、請求項１〜７のいずれか１項に記載の方法。
【請求項９】
コンピューティングシステムであって、
プロセッサと、
メモリと、
命令を含む非一時的コンピュータ読取可能媒体に格納された事前計算モジュールとを備え、前記命令は、実行されると、グリッドヘッドエンドデバイスによって配電網から収集された履歴使用量データから統計データを生成し、前記統計データを前記メモリに格納するステップを前記プロセッサに行なわせ、前記コンピューティングシステムはさらに、
命令を含む前記非一時的コンピュータ読取可能媒体に格納された検証モジュールを備え、前記命令は、実行されると、前記グリッドヘッドエンドデバイスによって前記配電網から収集された測定メーターデータおよび前記統計データに検証アルゴリズムを適用することによって少なくとも合否データを少なくとも部分的に生成するステップを前記プロセッサに行なわせ、前記検証アルゴリズムは、前記測定メーターデータを検証するためにユーザによって選択または構成され、前記コンピューティングシステムはさらに、
命令を含む前記非一時的コンピュータ読取可能媒体に格納された制御モジュールを備え、前記命令は、実行されると、
非ピーク時間中、ピーク時間から前記コンピューティングシステムの処理をオフロードするために、データベースデバイスから前記履歴使用量データにアクセスし、前記履歴使用量データから前記統計データを生成するよう、前記事前計算モジュールに指令するステップと、
前記ピーク時間中、前記メモリから前記統計データにアクセスし、前記グリッドヘッドエンドデバイスから前記測定メーターデータを受信し、少なくとも前記合否データを生成するよう、前記検証モジュールに指令するステップとを、前記プロセッサに行なわせ、
前記非ピーク時間は、前記測定メーターデータが前記コンピューティングシステムによる検証のために受信および処理されていない期間に対応し、前記ピーク時間は、前記測定メーターデータが前記コンピューティングシステムによる検証のために受信および処理されている別の期間に対応する、コンピューティングシステム。
【請求項１０】
少なくとも前記履歴使用量データを格納するように構成された前記データベースデバイスをさらに備える、請求項９に記載のコンピューティングシステム。
【請求項１１】
前記非一時的コンピュータ読取可能媒体に格納された前記検証モジュールは、実行されると少なくとも前記合否データおよび前記測定メーターデータを出力するステップを前記プロセッサに行なわせる命令を含む、請求項９または１０に記載のコンピューティングシステム。
【請求項１２】
実行されると前記ユーザによる前記検証アルゴリズムのカスタム構成を容易にするグラフィカルユーザインターフェイスを提供するステップを前記プロセッサに行なわせる命令を含む前記非一時的コンピュータ読取媒体に格納されたビジュアルユーザインターフェイスモジュールをさらに備える、請求項９〜１１のいずれか１項に記載のコンピューティングシステム。
【請求項１３】
前記ビジュアルユーザインターフェイスモジュールによって提供される前記グラフィカルユーザインターフェイスを少なくとも表示し、前記グラフィカルユーザインターフェイスとのユーザインタラクションを容易にするように構成されたディスプレイスクリーンをさらに備える、請求項１２に記載のコンピューティングシステム。
【請求項１４】
実行されると前記ユーザによる前記検証アルゴリズムの手動選択を容易にするグラフィカルユーザインターフェイスを提供するステップを前記プロセッサに行なわせる命令を含む前記非一時的コンピュータ読取媒体に格納されたビジュアルユーザインターフェイスモジュールをさらに備える、請求項９〜１３のいずれか１項に記載のコンピューティングシステム。
【請求項１５】
前記ビジュアルユーザインターフェイスモジュールによって提供される前記グラフィカルユーザインターフェイスを少なくとも表示し、前記グラフィカルユーザインターフェイスとのユーザインタラクションを容易にするように構成されたディスプレイスクリーンをさらに備える、請求項９〜１４のいずれか１項に記載のコンピューティングシステム。
【請求項１６】
請求項１〜８のいずれかに記載の方法をコンピュータに実行させる、プログラム。